(57)【要約】【課題】  不特定多数の人間が同時に視聴する広告用看板以外の用途にも適した表示システムを提供する。【解決手段】本発明は、表示広告ファイルを記憶する記憶部と、表示広告ファイルを読み出した表示画像データを供給する表示制御部と、供給された表示画像データを表示する表示部と、表示部の前方の画像を撮影するカメラ部と、カメラ部によって撮影された画像から人物を検出する検出部と、当該人物をトラッキングするトラッキング部と検出部によって検出された閲覧人物の数をカウントする集計処理部とを有し、集計処理部は、トラッキング部によって閲覧人物が検出されなくなった後、解除時間の経過前に再度同一の閲覧人物が検出された場合、再度検出された閲覧人物を検出されなくなった閲覧人物と同一人物として集計するようにした。【選択図】  図５
2015228145.tif 000002
【特許請求の範囲】
【請求項１】
表示広告ファイルを記憶する記憶部と、
前記表示広告ファイルを読み出した表示画像データを供給する表示制御部と、
供給された前記表示画像データを表示する表示部と、
前記表示部の前方の画像を撮影するカメラ部と、
前記カメラ部によって撮影された画像から人物を検出する検出部と、
当該人物をトラッキングするトラッキング部と
前記検出部によって検出された閲覧人物の数をカウントする集計処理部と
を有し、             
前記集計処理部は、
前記トラッキング部によって前記閲覧人物が検出されなくなった後、解除時間の経過前に再度同一の閲覧人物が検出された場合、再度検出された閲覧人物を前記検出されなくなった閲覧人物と同一人物として集計する
ことを特徴とする表示装置。
【請求項２】
前記記憶部は、
前記表示広告ファイルの表示順序が登録された表示広告データベースを記憶し、
前記表示制御部は、
前記表示広告データベースに従って、前記表示広告ファイルを読み出し、表示画像データとして前記表示部に供給する
を有することを特徴とする請求項１記載の表示装置。
【請求項３】
前記表示広告ファイルは、
静止画像データであり、
前記表示制御部は、
表示予定の前記表示画像データの総数及び表示順序を、読み出した前記表示広告ファイルに重畳し、前記表示画像データとして前記表示部に供給する
を有することを特徴とする請求項２記載の表示装置。
【請求項４】
前記集計処理部は、
前記表示広告ファイルごとに、
前記閲覧人物の数を集計する
ことを特徴とする請求項３記載の表示装置。
【請求項５】
前記表示制御部は、
前記表示広告ファイルが有する文字数に基づいて当該表示広告ファイルを前記表示部に表示させる表示時間を変化させる
を有することを特徴とする表示装置。
【請求項６】
前記検出部は、
前記閲覧人物の属性を判別し、
前記表示制御部は、
前記属性に応じた表示広告ファイルに基づく表示画像データを前記表示部に供給する
ことを特徴とする請求項７記載の表示装置。
【請求項７】
表示広告ファイル及び前記表示広告ファイルの表示順序が登録された表示広告データベースを記憶する記憶部と、
前記表示広告ファイル及び前記表示広告データベースを送信する送信部と
を備えるコンピュータと、
前記コンピュータから送信される前記表示広告ファイル及び前記表示広告データベースを記憶する記憶部と、
前記表示広告ファイルを読み出した表示画像データを供給する表示制御部と、
供給された前記表示画像データを表示する表示部と、
前記表示部の前方の画像を撮影するカメラ部と、
前記カメラ部によって撮影された画像から人物を検出する検出部と、
当該人物をトラッキングするトラッキング部と
前記検出部によって検出された閲覧人物の数をカウントし、前記トラッキング部によって前記閲覧人物が検出されなくなった後、解除時間の経過前に再度同一の閲覧人物が検出された場合、再度検出された閲覧人物を前記検出されなくなった閲覧人物と同一人物として集計する集計処理部と、
前記集計処理部による集計の結果を送信する送信部と
を備える表示装置と
を有することを特徴とする表示システム。
【請求項８】
前記コンピュータは、
ユーザの操作入力に応じて、表示広告ファイル及び前記表示広告ファイルを前記表示部に表示させる表示時間を前記表示広告データベースに登録する登録部
を備え、
前記登録部は、
前記表示広告ファイルが有する文字数に基づいて表示時間を変化させる
ことを特徴とする請求項７記載の表示システム。
【請求項９】
前記登録部は、
前記表示広告ファイルが有する文字数を検出し、当該文字数に応じた表示時間を前記表示広告データベースに登録する
ことを特徴とする請求項８記載の表示システム。
【請求項１０】
前記登録部は、
ユーザの操作入力に応じて前記表示広告ファイルに対する表示時間を登録し、
前記文字数に応じて前記表示時間を増減する
ことを特徴とする請求項９記載の表示システム。
【請求項１１】
前記コンピュータには、
複数台の前記表示装置が接続されており、
前記集計処理部による集計の結果を前記表示装置ごとに比較できるよう統計する統計部
を有することを特徴とする請求項７記載の表示システム。
【請求項１２】
前記検出部は、
前記閲覧人物が表示部を閲覧した閲覧時間を検出する
ことを特徴とする請求項１１記載の表示システム。
【請求項１３】
前記検出部は、
前記閲覧人物の性別、年齢及び表情のいずれか一つ以上を検出する
ことを特徴とする表示システム。
【請求項１４】
前記表示装置は、
前記閲覧人物による操作を感知する操作入力部
を備え、
前記表示制御部は、
前記表示部に表示された表示広告ファイルのうち一の広告が特定されると、前記閲覧人物に対して識別子の提示を要求し、
前記識別子と前記特定された広告とを関連付けて前記コンピュータに供給する
ことを特徴とする表示システム。
【請求項１５】
記憶部から表示広告ファイルを読み出して供給された表示画像データを表示部に表示する表示ステップと、
前記表示部の前方の画像を撮影する撮影ステップと、
撮影された画像から人物を検出する検出ステップと、
当該人物をトラッキングするトラッキングステップと、
検出された閲覧人物の数をカウントする集計ステップと
を備え、
前記集計ステップでは、
前記閲覧人物が検出されなくなった後、解除時間の経過前に再度同一の閲覧人物が検出された場合、再度検出された閲覧人物を前記検出されなくなった閲覧人物と同一人物として集計する
ことを特徴とする広告閲覧集計プログラム。
【発明の詳細な説明】
【技術分野】
【０００１】
本発明は、デジタル表示システム及びデジタル表示プログラムに関するものであり、例えば案内などに使用されるデジタルサイネージに使用して好適なものである。
【背景技術】
【０００２】
従来、デジタルサイネージは、広告などに使用されることが想定されている。このデジタルサイネージとして、視聴者の年齢や性別などの属性を判別するようになされたものがある（例えば特許文献１参照）。
【先行技術文献】
【特許文献】
【０００３】
【特許文献１】特開2000-105583号公報
【発明の概要】
【０００４】
近年、デジタルサイネージを例えば業務連絡などの用途など、不特定多数の人間が同時に視聴する広告用看板以外の用途に使用したいという要望がある。
【０００５】
しかしながら、上述した特許文献に記載の技術は、デジタルサイネージを不特定多数の人間が同時に視聴する広告用看板として使用することを想定しており、様々な用途に適していないという問題があった。
【０００６】
本発明はこのような問題を解決するためになされたもので、その目的は、様々な用途に適する表示装置、デジタル表示システム及びデジタル表示プログラムを提供するものである。
【課題を解決するための手段】
【０００７】
かかる課題を解決するため、本発明の表示装置は、表示広告ファイルを記憶する記憶部と、表示広告ファイルを読み出した表示画像データを供給する表示制御部と、供給された表示画像データを表示する表示部と、表示部の前方の画像を撮影するカメラ部と、カメラ部によって撮影された画像から人物を検出する検出部と、当該人物をトラッキングするトラッキング部と検出部によって検出された閲覧人物の数をカウントする集計処理部とを有し、集計処理部は、トラッキング部によって閲覧人物が検出されなくなった後、解除時間の経過前に再度同一の閲覧人物が検出された場合、再度検出された閲覧人物を検出されなくなった閲覧人物と同一人物として集計するようにした。
【０００８】
これにより、表示装置は、閲覧人物が一時的に検出されなかった場合であっても、同一の閲覧人物を一人としてカウントすることができる。
【０００９】
また、本発明の表示システムでは、表示広告ファイル及び表示広告ファイルの表示順序が登録された表示広告データベースを記憶する記憶部と、表示広告ファイル及び表示広告データベースを送信する送信部とを備えるコンピュータと、コンピュータから送信される表示広告ファイル及び表示広告データベースを記憶する記憶部と、表示広告ファイルを読み出した表示画像データを供給する表示制御部と、供給された表示画像データを表示する表示部と、表示部の前方の画像を撮影するカメラ部と、カメラ部によって撮影された画像から人物を検出する検出部と、当該人物をトラッキングするトラッキング部と検出部によって検出された閲覧人物の数をカウントし、トラッキング部によって閲覧人物が検出されなくなった後、解除時間の経過前に再度同一の閲覧人物が検出された場合、再度検出された閲覧人物を検出されなくなった閲覧人物と同一人物として集計する集計処理部と、集計処理部による集計の結果を送信する送信部とを備える表示装置とを有するようにした。
【００１０】
これにより、表示システムでは、閲覧人物が一時的に検出されなかった場合であっても、同一の閲覧人物を一人としてカウントすることができる。
【００１１】
さらに、本発明の広告閲覧集計プログラムでは、記憶部から表示広告ファイルを読み出して供給された表示画像データを表示部に表示する表示ステップと、表示部の前方の画像を撮影する撮影ステップと、撮影された画像から人物を検出する検出ステップと、当該人物をトラッキングするトラッキングステップと、検出された閲覧人物の数をカウントする集計ステップとを備え、集計ステップでは、閲覧人物が検出されなくなった後、解除時間の経過前に再度同一の閲覧人物が検出された場合、再度検出された閲覧人物を検出されなくなった閲覧人物と同一人物として集計するようにした。
【００１２】
これにより、広告閲覧集計プログラムは、閲覧人物が一時的に検出されなかった場合であっても、同一の閲覧人物を一人としてカウントすることができる。
【発明の効果】
【００１３】
本発明は、広告閲覧集計プログラムは、閲覧人物が一時的に検出されなかった場合であっても、同一の閲覧人物を一人としてカウントすることができ、かくして様々な用途に適する表示装置、デジタル表示システム及びデジタル表示プログラムを提供できる。
【図面の簡単な説明】
【００１４】
【図１】第１の実施の形態におけるデジタル表示システムの構成を示す略線図である。
【図２】第１の実施の形態におけるコンピュータのブロック図である。
【図３】第１の実施の形態における表示装置のブロック図である。
【図４】第１の実施の形態における広告閲覧集計処理手順を示すフローチャートである。
【図５】閲覧人物検出処理手順を示すフローチャートである。
【図６】第２の実施の形態におけるデジタル表示システムの構成を示す略線図である。
【図７】第２の実施の形態におけるサーバのブロック図である。
【図８】第２の実施の形態における表示装置のブロック図である。
【図９】求人応募処理手順を示すフローチャートである。
【図１０】第３の実施の形態における広告閲覧集計処理手順を示すフローチャートである。
【図１１】第４の実施の形態におけるデジタル表示システムの構成を示す略線図である。
【図１２】第４の実施の形態における広告閲覧集計処理手順を示すフローチャートである。
【発明を実施するための形態】
【００１５】
次に本発明を実施するための形態について図面を参照して説明する。
【００１６】
＜第１の実施の形態＞
［１−１．デジタル表示システムの構成］
図１において１は全体としてデジタル表示システムを示している。デジタル表示システム１では、１台のコンピュータ２に対して１台の表示装置３がそれぞれ接続されており、合計３台の表示装置３を有してる。
【００１７】
デジタル表示システム１は、例えば複数の人種が雇用されている工場などで使用され、表示装置３ごとに異なる言語で表示される表示広告が表示されることが想定されている。従って、コンピュータ２ごとに異なるオペレータが操作を行う。
【００１８】
オペレータは、例えば工場における総務担当などであり、表示装置３を閲覧するのは、工場で働く労働者である。表示広告としては、例えば業務指示や業務連絡、福利厚生のお知らせなどである。
【００１９】
コンピュータ２は、図示しないＣＰＵ（Central Processing Unit ）、ＲＯＭ（Read Only Memory）及びＲＡＭ（Random Access Memory）から構成されるシステムコントローラ２１がコンピュータ２の全体を統括的に制御するようになされている。システムコントローラ２１は、フラッシュメモリ、ＲＯＭ又はハードディスクドライブ等の記憶部２２に格納されている基本プログラムや広告設定プログラム等をＲＡＭに展開することによって、これらのプログラムに基づいて各種処理や後述する広告設定処理を実行するようになされている。
【００２０】
表示装置３は、図示しないＭＰＵ（Micro-Processing Unit ）、ＲＯＭ及びＲＡＭから構成されるシステムコントローラ３１が表示装置３の全体を統括的に制御するようになされている。システムコントローラ３１は、フラッシュメモリ、ＲＯＭ又はハードディスクドライブ等の記憶部３２に格納されている基本プログラムや広告閲覧集計プログラム等をＲＡＭに展開することによって、これらのプログラムに基づいて各種処理や後述する広告閲覧集計処理を実行するようになされている。
【００２１】
例えばシステムコントローラ２１は、キーボードやマウスなどの操作入力部２４からのユーザの操作入力に応じて、外部インターフェース２３を介してユーザから広告設定の要求を表す設定要求信号が供給されたことを認識すると、広告設定処理を開始し、広告設定画面（図示せず）を表す画像データを表示部２５に供給する。この結果、表示部２５には、広告設定画面が表示される。
【００２２】
広告設定画面には、例えば表示すべき表示広告物のファイルを指定するファイル指定欄と、当該指定されたファイル（以下、これを表示広告ファイルと呼ぶ）に対する重要度を指定する重要度指定欄と、終了ボタンと、表示開始ボタンが表示される。
【００２３】
システムコントローラ２１は、ユーザの操作入力に応じて、ファイルと重要度が指定されると、これらを対応付けて記憶部２２に記憶されている表示広告データベースに登録する。また、システムコントローラ２１は、表示広告ファイルを解析し、当該表示広告ファイルが有する文字数をカウントし、表示広告データベースに登録する。
【００２４】
さらに、システムコントローラ２１は、文字数及び重要度に応じて表示広告ファイルの表示時間を決定し、これらを表示広告データベースに登録する。
【００２５】
すなわち、システムコントローラ２１は、表示広告ファイルのうち、文字数が多くて読むのに時間を要するもの、重要度が高いものについては表示時間を長くし、逆に文字数が少なくてすぐに読み終わるもの、重要度が低いものについては表示時間を短くする。
【００２６】
具体的には、例えばシステムコントローラ２１は、指定された重要度が「高」の場合、文字数に応じた標準時間（例えば１０秒）に対して２倍とし、表示時間を「２０秒」に決定する。すなわち、システムコントローラ２１は、重要度に応じて表示時間を重み付けする。
【００２７】
システムコントローラ２１は、処理が終了すると、再び広告設定画面を表示部２５に表示させる。システムコントローラ２１は、ユーザの操作入力に応じて、終了ボタンが押下されたことを認識すると、広告設定処理を終了すると共に、更新された表示広告データベース及び表示広告ファイルを表示装置３に供給する。
【００２８】
一方、システムコントローラ２１は、ユーザの操作入力に応じて、表示開始ボタンが押下されたことを認識すると、外部インターフェース２３を介して、広告の表示を開始する旨の要求を表す表示開始要求信号を表示装置３に供給する。
【００２９】
表示装置３は、例えば有線LANや無線LAN、USBケーブル、Bluetoothなどにより、外部インターフェース３３を介してコンピュータ２と接続されている。表示装置３のシステムコントローラ３１は、外部インターフェース３３を介して、表示広告データベース及び表示広告ファイルが供給されると、これらを記憶部３２に記憶する。
【００３０】
システムコントローラ３１は、コンピュータ２から表示開始要求信号が供給されたことを認識すると、広告表示プログラム及び人物カウントプログラムに従って広告閲覧集計処理を開始する。
【００３１】
具体的に、システムコントローラ３１は、記憶部３２に記憶されている表示広告データベースに基づいて、設定されている順序及び表示時間で広告表示ファイルを読み出し、表示画像データとして表示部３４に供給する。なお、システムコントローラ３１は、一つの表示広告ファイルを一つの表示画像データとして供給しても良く、複数の表示広告ファイルを合成して一つの表示画像データとしても良い。
【００３２】
この結果、表示部３４には、広告設定処理によって設定された順序及び表示時間で広告表示ファイルに基づく広告表示画面が表示される。
【００３３】
このとき、システムコントローラ３１は、表示予定の表示画像データの総数と、現在表示している表示画像データの表示順序を広告表示画面に表示させることもできる。これにより、広告表示ファイルを全て閲覧したかどうかを閲覧人物に認識させ易くなる。
【００３４】
また、システムコントローラ３１は、表示広告画面（表示画像データ）ごとに、表示広告画面を閲覧した閲覧人物の数をカウントする。
【００３５】
具体的に、システムコントローラ３１は、例えば、広告表示画面に対応する文字数を表示広告データベースから読み出し、文字数に所定の係数を乗算したり、対応する時間を選択することにより、当該文字数に応じた時間を当該広告表示画面に対応する字数時間として決定する。
【００３６】
システムコントローラ３１は、カメラ３５から供給される画像を解析し、当該画像から人物の顔を検出する。そしてシステムコントローラ３１は、字数時間に亘って人物の顔が検出された場合に、当該検出された人物が表示広告画面を閲覧したと判断し、閲覧人物としてカウントする。
【００３７】
そしてシステムコントローラ３１は、表示時間が経過すると、表示し終えた表示広告画面についての閲覧人物の数を集計し、集計結果をコンピュータ２へ供給する。
【００３８】
具体的に、システムコントローラ３１は、人物の顔を検出すると、当該人物をトラッキングし、閲覧時間に亘って当該人物が検出された場合に、検出された人物が表示広告画面を閲覧した閲覧人物であると判断する。
【００３９】
例えば人物が横を向いたことなどにより、一時的に人物が検出されなくなった場合であっても、所定の解除時間内に再び同一人物が検出された場合には、時間を累積する。
【００４０】
そしてコンピュータ２のシステムコントローラ２１は、表示広告ファイルごとに、閲覧人物の数を集計する。
【００４１】
これにより、デジタル表示システム１は、表示広告ファイルが有する字数に必要な時間に亘って検出された人物だけを閲覧人物としてカウントし、表示広告ファイルごとに閲覧人物を集計できる。
【００４２】
［１−２．広告閲覧集計処理手順］
次に、広告閲覧集計プログラムに従って実行される広告閲覧集計処理手順ＲＴ１について、図４のフローチャートを用いて説明する。
【００４３】
表示装置３は、開始ステップにおいて人物カウント処理を開始すると、次のステップＳＰ１へ移る。
【００４４】
ステップＳＰ１において、表示装置３は、表示広告データベースに登録された表示広告ファイルの字数に基づいて字数時間及び表示時間を設定すると、次のステップＳＰ２へ移る。
【００４５】
ステップＳＰ２において、表示装置３は、表示広告ファイルに基づいて、表示部３４に表示広告画面を表示させると、次のステップＳＰ３へ移る。
【００４６】
ステップＳＰ３において、表示装置３は、人物の顔の検出を開始し、次のステップＳＰ４へ移る。
【００４７】
ステップＳＰ４において、表示装置３は、人物の顔が検出されたか否かを判別する。肯定結果が得られた場合、表示装置３は、次のステップＳＰ５へ移る一方、否定結果が得られた場合、表示装置３は、ステップＳＰ８へ移る。
【００４８】
ステップＳＰ５において、表示装置３は、検出された人物の顔を閲覧人物としてカウントすべきか否かを決定する閲覧人物検出処理手順ＳＲＴ１１のステップＳＰ２１へ移る。
【００４９】
ステップＳＰ２１において、表示装置３は、人物の顔に対してトラッキングを開始すると共に、累積時間の計測を開始し、次のステップＳＰ２２へ移る。
【００５０】
ステップＳＰ２２において、表示装置３は、トラッキングにより同一の顔が検出され続けているかを判別し、肯定結果が得られた場合、次のステップＳＰ２３へ移る。
【００５１】
これに対してステップＳＰ２２において否定結果が得られた場合、このことは、検出された人物がその場を離れた、もしくは単に横を向いた可能性があることを表している。このとき表示装置３は、次のステップＳＰ３１へ移る。
【００５２】
ステップＳＰ３１において、表示装置３は、非検出時間の計測を開始し、次のステップＳＰ３２へ移る。
【００５３】
ステップＳＰ３２において、表示装置３は、同一の顔が検出された否かについて判別する。同一顔か否かは、検出された場所、年齢、性別、顔の特徴のいずれか、又はこれらを組み合わせて判別される。ここで工程結果が得られた場合、このことは同一人物がその場所を離れておらず、顔の向きを変えたなど一時的に検出されなかったことを表しており、このとき表示装置３は、次のステップＳＰ３３へ移る。
【００５４】
ステップＳＰ３３において、表示装置３は、人物のトラッキング及び累積時間の計測を再開し、次のステップＳＰ２３へ移る。
【００５５】
ステップＳＰ２３において、表示装置３は、現在検出中の人物について、検出された累積時間がステップＳＰ１において設定された字数時間を経過したか否かについて判別する。
【００５６】
ここで肯定結果が得られた場合、このことは、検出された人物が字数時間に亘って表示広告画面を閲覧していることを表しており、このとき表示装置３は、次のステップＳＰ２４へ移る。
【００５７】
ステップＳＰ２４において、表示装置３は、検出されている人物が表示広告画面を閲覧した閲覧人物であると決定し、広告閲覧集計処理手順ＲＴ１（図４）のステップＳＰ６へ移る。
【００５８】
一方、ステップＳＰ２３（図５）で否定結果が得られた場合、このことは、検出されている人物が表示広告画面を閲覧している時間が、表示広告画面の閲覧に必要な字数時間に満たないことを表しており、このとき表示装置３は、ステップＳＰ２２へ戻り、人物の顔の検出を継続する。
【００５９】
また、ステップＳＰ３２において否定結果が得られた場合、このことは、一旦検出された人物の顔が検出できないことを表しており、このとき表示装置３は、次のステップＳＰ３４へ移る。
【００６０】
ステップＳＰ３４において、表示装置３は、一旦検出された人物の顔が検出できなくなってからの非検出時間が、解除時間を経過したか否かについて判別する。ここで否定結果が得られると、表示装置３は、ステップＳＰ３２へもどり、人物の顔の検出を継続する。
【００６１】
一方、ステップＳＰ３４において肯定結果が得られた場合、このことは、一旦検出された人物が解除時間に亘って検出されず、場を離れた可能性が高いことを表しており、このとき表示装置３は、次のステップＳＰ３５へ移る。
【００６２】
ステップＳＰ３５において、表示装置３は、計測中の非検出時間及び累積時間をリセットし、広告閲覧集計処理手順ＲＴ１（図４）のステップＳＰ６へ移る。
【００６３】
ステップＳＰ６において、表示装置３は、閲覧人物を検出したか否かについて判別する。ここで肯定結果が得られると、表示装置３は、次のステップＳＰ７へ移る。一方、ステップＳＰ６で否定結果が得られると、表示装置３は、次のステップＳＰ８へ移る。
【００６４】
ステップＳＰ７において、表示装置３は、閲覧人物のカウンタを「１」加算し、次のステップＳＰ８へ移る。
【００６５】
ステップＳＰ８において、表示装置３は、広告表示時間が経過したか否かについて判別する。ここで否定結果が得られた場合、このことは同一の表示広告画面が表示されていることを表しており、ステップＳＰ４へ戻り、顔の検出を継続する。
【００６６】
一方、ステップＳＰ８において肯定結果が得られた場合、このことは現在の表示広告画面の表示が終了したことを表しており、このとき表示装置３は、次のステップＳＰ９へ移る。
【００６７】
ステップＳＰ９において、表示装置３は、集計処理として、閲覧人物カウンタの値を表示していた表示広告ファイルに対応する集計値としてコンピュータ２に送信すると、終了ステップへ移って広告閲覧集計処理手順ＲＴ１を終了する。
【００６８】
［１−３．動作及び効果］
以上の構成において、表示装置３は、表示広告ファイルを記憶する記憶部３２と、表示広告ファイルを読み出した表示画像データを供給する表示制御部としてのシステムコントローラ３１と、供給された表示画像データを表示する表示部３４と、表示部３４の前方の画像を撮影するカメラ部３５と、カメラ部３５によって撮影された画像から人物を検出する検出部、当該人物をトラッキングするトラッキング部、及び検出部によって検出された閲覧人物の数をカウントする集計処理部としてのシステムコントローラ３１とを有する。
【００６９】
システムコントローラ３１は、閲覧人物が検出されなくなった後、解除時間の経過前に再度同一の閲覧人物が検出された場合、再度検出された閲覧人物を検出されなくなった閲覧人物と同一人物として集計する。
【００７０】
これにより、表示装置３は、横を向いたりしゃがんだりなどしたことにより、一時的に閲覧人物として検出されなくなったユーザを「１」としてカウントできるため、正確に閲覧人物の数を集計することができる。
【００７１】
記憶部３２は、表示広告ファイルの表示順序が登録された表示広告データベースを記憶し、システムコントローラ３１は、表示広告データベースに従って、表示広告ファイルを読み出し、表示画像データとして表示部３４に供給する。
【００７２】
これにより、表示装置３は、予め登録された順序で表示広告ファイルを表示することができる。
【００７３】
表示広告ファイルは、静止画像データであり、システムコントローラ３１は、表示予定の表示画像データの総数及び表示順序を、読み出した表示広告ファイルに重畳し、表示画像データとして表示部に供給する。
【００７４】
これにより、表示装置３は、閲覧人物に対して表示画像データ、すなわち表示画面の総数と現在の表示順序を視認させることができ、閲覧人物に全てを閲覧したか、又はあとどれくらいで全て閲覧できるのかなどをわかりやすくできる。
【００７５】
システムコントローラ３１は、表示広告ファイルごとに、閲覧人物の数を集計する。これにより、表示装置３は、表示広告ファイルごとの閲覧度合いを集計できる。
【００７６】
また、システムコントローラ３１は、表示広告ファイルの表示が終了するごとに、閲覧人物の数を集計し、これをコンピュータ２０に供給する。これにより、コンピュータ２０を操作するオペレータは、ほぼリアルタイムで閲覧状況を把握することができる。
【００７７】
システムコントローラ３１は、表示広告ファイルが有する文字数に基づいて当該表示広告ファイルを表示部に表示させる表示時間を変化させる。これにより、表示装置３は、閲覧に要する時間が長い表示広告ファイルについての表示時間を長く、閲覧に要する時間が短い表示広告ファイルについての表示時間を短くできる。
【００７８】
システムコントローラ３１は、表示広告データベースに登録された表示時間に従って表示時間を変化させることにより、表示広告ファイルが有する文字数に基づいて当該表示広告ファイルを表示部に表示させる表示時間を変化させる。これにより表示装置３は、文字数を逐次検出しなくても、単純に登録された表示時間だけ表示広告ファイルを表示すれば良いため、システムコントローラ３１の処理負荷を軽減できる。
【００７９】
表示システムとしてのデジタル表示システム１は、表示広告ファイル及び表示広告ファイルの表示順序が登録された表示広告データベースを記憶する記憶部２２と、表示広告ファイル及び表示広告データベースを送信する送信部としての外部インターふぇー宇２３とを有するコンピュータ２と、表示装置３とを有するようにした。
【００８０】
これによりデジタル表示システム１は、コンピュータ２による統括管理の基、表示装置３による表示広告ファイルの表示及び閲覧人物の調査をすることができる。
【００８１】
コンピュータ２は、ユーザの操作入力に応じて、表示広告ファイル及び表示広告ファイルを表示部３４に表示させる表示時間を表示広告データベースに登録する登録部としてのシステムコントローラ２１を有し、システムコントローラ２１は、表示広告ファイルが有する文字数を検出し、当該文字数に応じた表示時間を表示広告データベースに登録することにより、表示広告ファイルが有する文字数に基づいて表示時間を変化させる。
【００８２】
これにより、デジタル表示システム１は、表示装置３に対して、表示広告データベースに従って表示広告ファイルを表示させれば良く、表示装置３の処理負荷を軽減できる。
【００８３】
システムコントローラ２１は、表示広告ファイルの重要度を指定させることにより、ユーザの操作入力に応じて表示広告ファイルに対する表示時間を登録し、文字数に応じて表示時間を増減する。
【００８４】
これにより、デジタル表示システム１は、閲覧に要する時間だけでなく、他の要素も考慮した表示時間を設定することができる。
【００８５】
［１−４．他の実施の形態］
なお、上述した第１の実施の形態においては、表示装置３が閲覧人物検出処理を実行するようにした場合について述べた。本発明はこれに限らず、表示装置３は、カメラ３５の撮影画像データをコンピュータ２に供給し、コンピュータ２が閲覧人物検出処理を実行しても良い。この場合、広告閲覧集計処理手順ＲＴ１におけるステップＳＰ３〜ステップＳＰ９は、コンピュータ２が実行する。
【００８６】
また、上述した第１の実施の形態においては、表示広告ファイル又は表示画像データごとに閲覧人物の数を集計するようにした場合について述べた。本発明はこれに限らず、例えば表示広告ファイルが一巡するごとに集計してもよい。
【００８７】
さらに、上述した第１の実施の形態においては、表示広告ファイルが有する文字数及び重要度の双方によって表示時間を決定するようにした場合について述べた。本発明はこれに限らず、表示時間は一律でもよく、また、文字数又は重要度の一方のみに応じて表示時間を決定するようにしても良い。
【００８８】
また、上述した第１の実施の形態においては、字数時間に亘って閲覧した人物のみを閲覧人物としてカウントするようにした場合について述べた。本発明はこれに限らず、例えば単純に検出された人物の数を単純にカウントするようにしても良い。少なくとも、同一人物を一人としてカウントできればよい。
【００８９】
さらに、上述した第１の実施の形態においては、表示装置３が工場内に配置されるようにした場合について述べた。本発明はこれに限らず、表示装置３は、例えば病院、ホテル、旅館、レストラン、店舗、駅、空港、消防所、自衛隊、工事現場など、特にデスクワークが少ない作業員を多く有するような場所に好適に設置される。また、マンションや老人ホーム、老人グループホーム、役所、公民館、病院の入院病棟など、一般の居住者が居住する場所、サービス業などで顧客が多く来訪する場所にも好適に設置される。
【００９０】
また、上述した第１の実施の形態においては、コンピュータ２を操作するオペレータが総務担当の従業員であるようにした場合について述べた。本発明はこれに限らず、例えばマンションや老人ホームの管理人など、広告ファイルを管理する人などがオペレータとしてコンピュータ２を操作するようにしても良い。
【００９１】
さらに上述した実施の形態においては、システムコントローラ２１が予め表示時間を設定するようにした場合について述べた。本発明はこれに限らず、例えば表示広告データベースに文字数だけ登録しておき、表示装置３が表示時間を設定してもよい。これにより、表示装置３ごとに文字数ごとの表示時間を設定することができ、言語が相違する場合や、環境などに応じて、文字数が同じでも表示装置３ごとに表示時間を変化させることができ、最適な表示時間を設定できる。
【００９２】
さらに、上述した第１の実施の形態においては、表示広告ファイルとして福利厚生や業務連絡を表示装置３に表示させるようにした場合について述べた。本発明はこれに限らず、表示装置３が設置される場所に応じた内容の表示広告ファイルを表示装置３に表示させることが可能である。例えば、高校や大学などの学校であれば、休講や授業変更、講師変更、イベント参加者募集などの各種お知らせ、マンションや老人ホームでは、イベントや工事などの連絡、レストランであれば、メニューやおすすめサービスの紹介及び予告などである。
【００９３】
さらに、上述した第１の実施の形態においては、広告設定プログラム及び広告閲覧集計プログラム等をＲＯＭ又はハードディスクドライブなどに予め格納した場合について述べた。本発明はこれに限らず、メモリカードなどの外部記憶媒体からコンピュータ内部のフラッシュメモリやハードディスクドライブなどにインストールするようにしても良い。また、データベース作成プログラムなどをＵＳＢ（Universal Serial Bus）やＥｔｈｅｒｎｅｔ（登録商標）（Institute of Electrical and Electronics Engineers）８０２．１１ａ／ｂ／ｇなどの無線ＬＡＮ（Local Area Network）を介して外部から取得し、さらに、は地上ディジタルテレビジョン放送やＢＳディジタルテレビジョン放送により配信されるようにしても良い。
【００９４】
さらに上述した第１の実施の形態においては、記憶部としての記憶部３２と、表示部としての表示部３４と、カメラ部としてのカメラ部３５と、表示制御部、検出部、トラッキング部及び集計処理部としてのシステムコントローラ３１とによって表示装置３を構成するようにした場合について述べた。本発明はこれに限らず、種々の構成による記憶部と、表示部と、カメラ部と、表示制御部と、検出部と、トラッキング部と集計処理部とによって本発明の表示装置を構成するようにしても良い。
【００９５】
また上述した第１の実施の形態においては、記憶部としての記憶部２２と、送信部としての外部インターフェース２３とによってコンピュータ２を構成するようにしたに場合について述べた。本発明はこれに限らず、種々の構成による記憶部と、表示部と、送信部とによって本発明のコンピュータを構成するようにしても良い。
【００９６】
さらに上述した第１の実施の形態においては、表示装置としての表示装置３と、コンピュータとしてのコンピュータ２によって表示システムとしてのデジタル表示システム１を構成するようにした場合について述べた。本発明はこれに限らず、種々の構成による表示装置とコンピュータとによって本発明の表示システムを構成するようにしても良い。
【００９７】
＜第２の実施の形態＞
図６〜９に示す第２の実施の形態においては、図１〜図５に示す第１の実施の形態と対応する箇所に１００を加算した符号を附して示し、同一部分についての説明を省略する。第２の実施の形態では、１台のサーバ１０５により、複数台の表示装置３から供給される集計結果を統括管理できる点と、表示装置１０３がタッチパネル方式によるＩＤ特定処理を実行する点が第１の実施の形態とは異なっている。
【００９８】
［２−１．デジタル表示システムの構成］
図６に示すように、デジタル表示システム１０１は、複数台のコンピュータ１０２と、複数台の表示装置１０３とがサーバ１０５に接続されている。
【００９９】
第２の実施の形態におけるデジタル表示システム１０１は、例えば求人広告や不動産広告など、募集数に限りのある広告を表示する際に使用される。ここでは、ハローワークに設置される場合について説明する。
【０１００】
図７に示すように、サーバ１０５は、図示しないＣＰＵ、ＲＯＭびＲＡＭから構成されるシステムコントローラ１５１がサーバ１０５の全体を統括的に制御するようになされている。システムコントローラ１５１は、フラッシュメモリ、ＲＯＭ又はハードディスクドライブ等の記憶部１５２に格納されている基本プログラムや広告設定プログラム、求人応募処理プログラム等をＲＡＭに展開することによって、これらのプログラムに基づいて各種処理や後述する広告設定処理及び求人応募処理を実行するようになされている。
【０１０１】
図８に示すように、表示装置１０３は、例えばタッチパネルによる操作入力部１３３を有している。操作入力部１３３は、ユーザの操作に応じた操作入力信号をシステムコントローラ１３１に送信する。
【０１０２】
表示装置１０３には、単数又は複数の募集広告が表示される。例えば、表示装置１０３Ａには事務職、表示装置１０３Ｂには工場勤務職、表示装置１０３Ｃには販売職というように、各表示装置１０３（１０３Ａ〜Ｃ）に対して相違する業種に関する広告が表示される。
【０１０３】
具体的に、サーバ１０５のシステムコントローラ１５１は、表示広告データベースに職種カテゴリの項目を設けており、職種カテゴリごとに分割した表示広告データベース及び対応する表示広告ファイルを各表示装置１０３Ａ〜Ｃに対してそれぞれ供給する。
【０１０４】
この結果、各表示装置１０３の記憶部１３２には、自身が表示する表示広告ファイル及び分割された表示広告データベースのみが記憶される。
【０１０５】
表示装置１０３は、表示広告データベースに含まれる表示順序に従って表示広告ファイルを表示部１３４に表示させると共に、閲覧人物のカウントを行う閲覧人物集計処理を実行する。
【０１０６】
かかる構成に加えて、デジタル表示システム１０１は、求人広告に対してその場でユーザに応募を行わせると共に、ユーザの応募状況に応じて求人広告の表示の有無を変更する求人応募処理を実行する。
【０１０７】
具体的に、表示装置１０３のシステムコントローラ１３１は、表示中の表示広告に対して、例えば表示画面をタッチすることによりユーザの操作が行われると、操作が行われた求人広告の広告ＩＤ（Identification）を特定する。
【０１０８】
そしてシステムコントローラ１３１は、記憶部１３２から読み出したＩＤ要求画像データを表示部１３４に供給する。この結果、ＩＤ要求画像が表示部１３４に表示される。ＩＤ要求画像では、例えば「カメラの前にＩＤを掲げて下さい」といった文字が表示される。ＩＤ要求画像は、表示中の広告に重畳されても良く、単体で表示されても良い。
【０１０９】
ユーザには、予め識別子としてスキャンＩＤが配布されており、例えばカードにバーコードや数字などのスキャンＩＤが印刷されている。システムコントローラ１３１は、ＩＤ要求画像が表示されると同時に人物の検出を一時中断し、スキャンＩＤが提示されるのを待ち受ける。もちろん、操作入力部１３３に対する操作によってスキャンＩＤを入力することも可能である。
【０１１０】
システムコントローラ１３１は、スキャンＩＤを読み込むと、スキャンＩＤと広告ＩＤとを対応付けた状態で、サーバ１０５に送信すると共に、表示広告の表示及び人物の検出を再開する。なお、システムコントローラ１３１は、所定の時間に亘ってスキャンＩＤが読み込めない場合にも、表示広告の表示及び人物の検出を再開する。
【０１１１】
サーバ１０５の記憶部１５２に記憶されている表示広告データベースには、広告ＩＤに対応付けて締切人数と、現在までの応募人数とが登録してある。システムコントローラ１５１は、表示装置１０３からスキャンＩＤ及び広告ＩＤか供給されると、広告ＩＤに対応に対応する応募人数を「１」だけ加算すると共に、締切人数と照合する。
【０１１２】
システムコントローラ１５１は、応募人数が締切人数に到達しない場合には、そのまま処理を継続する。一方、システムコントローラは、応募人数が締切人数に到達した場合には、例えば表示広告データベースにフラグを立てることにより、締切人数に達した表示広告ファイルが表示されないよう更新すると共に、表示装置１０３に対して、記憶部１３２に記憶されている表示広告データベースも同様に更新させる。
【０１１３】
ユーザは、スキャンＩＤが印刷されたカードを持って、窓口に行くと、窓口担当者がコンピュータ１０２を操作し、スキャンＩＤを読み取る。コンピュータ１０２のシステムコントローラ１２１は、対応付けられた広告ＩＤから表示広告ファイルを特定し、表示部１２５に表示させる。そして担当者は、表示広告ファイルについての各種処理を実行する。
【０１１４】
このように、デジタル表示システム１０１では、募集人数に限りがある求人広告を表示し、タッチパネルを用いて応募させることにより、わざわざ職員が掲示板に貼りだす作業を行わずに済む。
【０１１５】
また、デジタル表示システム１０１では、職種ごとの求人広告を表示装置１０３Ａ〜１０３Ｃにそれぞれ表示し、閲覧人物の集計を行う。このため、表示装置１０３ごとに集計を行う事ができ、表示ファイルごとの人気度に加え、職種ごとの閲覧者の数、それに対する応募者の数を取得することができる。このため、職種ごとの人気度や求人広告に対する応募率などを適切に分析することができる。
【０１１６】
［２−２．求人応募処理手順］
次に、求人応募プログラムに従って実行される求人応募処理手順について、図９に示すシステムチャートを用いて説明する。
【０１１７】
サーバ１０５は、求人応募プログラムを開始すると、ステップＳＰ５１へ移り、表示装置１０３に対して広告表示開始の要求を表す表示開始要求信号を送信する。
【０１１８】
表示装置１０３は、サーバ１０５から表示開始要求信号を受信すると、ステップＳＰ６１へ移って閲覧人物集計処理を実行し、表示広告データベースの表示順序に従って表示広告ファイルの表示を開始すると、次のステップＳＰ６２へ移る。
【０１１９】
ステップＳＰ６２において、表示装置１０３は、タッチパネルを監視し、ユーザによって表示広告画面が押加されたか否かを判別する。ここで否定結果が得られると、表示装置１０３は、次のステップＳＰ６７へ移る。
【０１２０】
これに対してステップＳＰ６２で肯定結果が得られた場合、このことは表示中の求人広告にユーザが応募する意志があることを表しており、このとき表示装置１０３は、次のステップＳＰ６３へ移る。
【０１２１】
ステップＳＰ６３において、表示装置１０３は、音声や表示などによりスキャンＩＤの提示をユーザに対して要求すると、次のステップＳＰ６４へ移る。
【０１２２】
ステップＳＰ６４において、表示装置１０３は、スキャンＩＤを読み取ると、次のステップＳＰ６５へ移る。
【０１２３】
ステップＳＰ６５において、表示装置１０３は、タッチされた求人広告に対応する表示広告ファイルの広告ＩＤからスキャンＩＤと、スキャンＩＤとを対応付けた状態でサーバ１０５に送信すると、次のステップＳＰ６６へ移る。
【０１２４】
ステップＳＰ６６において、表示装置１０３は、閲覧人物集計処理を再開し、広告の表示を継続すると、次のステップＳＰ６７へ移る。
【０１２５】
ステップＳＰ６７において、表示装置１０３は、表示広告ファイルの表示が一巡したか否かを判別する。ここで否定結果が得られると、表示装置１０３は、ステップＳＰ６７へ戻り、次の表示広告ファイルを表示しながらユーザの応募を待ち受ける。
【０１２６】
これに対してステップＳＰ６７において肯定結果が得られた場合、このことは表示広告データベースを更新する必要があることを表しており、このとき表示装置１０３は、次のステップＳＰ６８へ進む。
【０１２７】
ステップＳＰ６８において、表示装置１０３は、サーバ１０５に対して表示広告データベースの更新要求を表す要求信号を送信する。
【０１２８】
ステップＳＰ５１において広告表示開始の要求信号を表示装置１０３に供給したサーバ１０５は、待機状態に入り、表示装置１０３からスキャンＩＤとを対応と広告ＩＤとを受信すると、ステップＳＰ５２へ移る。
【０１２９】
ステップＳＰ５２において、サーバ１０５は、広告ＩＤに対応する表示広告ファイルに対して、これまで応募したユーザの数を確認し、締切人数に到達したか否かを判別する。
【０１３０】
このステップＳＰ５２において否定結果が得られると、このことは応募のあった表示広告ファイルを引き続き表示する必要があることを表しており、このときサーバ１０５は、次のステップＳＰ５４へ移る。
【０１３１】
これに対してステップＳＰ５２において肯定結果が得られた場合、このことは広告ＩＤに対応する表示広告ファイルを表示する必要がないことを表しており、このときサーバ１０５は、次のステップＳＰ５３へ移る。
【０１３２】
ステップＳＰ５３において、サーバ１０５は、表示広告データベースを更新し、待機状態に移る。
【０１３３】
そしてサーバ１０５は、表示装置１０３から表示広告データベースの更新要求を表す要求信号を受信すると、次のステップＳＰ５４へ移り、表示装置１０３に対して最新の表示広告データベースに関するデータベース更新情報を表示装置１０３へ供給する。
【０１３４】
表示装置１０３は、サーバ１０５からデータベース更新情報を受信すると、次のステップＳＰ６９へ移り、表示広告データベースの更新を行うと共に、閲覧人物集計処理及び求人応募処理を終了するか否かについて判別する。
【０１３５】
ここで否定結果が得られた場合、表示装置１０３は、ステップＳＰ６２へ移り、閲覧人物集計処理及び求人応募処理を継続する。
【０１３６】
一方、ステップＳＰ６９において肯定結果が得られた場合、表示装置１０３は、閲覧人物集計処理及び求人応募処理を終了する。
【０１３７】
［２−３．動作及び効果］
以上の構成によれば、デジタル表示システム１０１の表示装置１０３は、閲覧人物による操作を感知する操作入力部１３３を備え、
システムコントローラ１３１は、表示部１３４に表示された表示広告ファイルのうち一の広告が特定されると、閲覧人物に対して識別子としてのスキャンＩＤの提示を要求し、スキャンＩＤと特定された広告とを関連付けてコンピュータとしてのサーバ１０５に供給する。
【０１３８】
これにより、デジタル表示システム１０１では、どのユーザがどの広告を特定したかが分かるため、リアルタイムで求人応募状況の管理をすることができる。
【０１３９】
また、デジタル表示システム１０１では、サーバ１０５が職種ごとに表示広告データベースを分割して表示装置１０３に供給することにより、表示装置１０３ごとに相違する表示広告データベースを使用する。
【０１４０】
これにより、デジタル表示システム１０１では、職種ごとの人気度も調査することができる。
【０１４１】
［２−４．他の実施の形態］
なお、上述した第２の実施の形態においては、表示装置１０３がハローワークに設置されるようにした場合について述べた。本発明はこれに限らず、アルバイトを募集する大学の学生課や店舗、不動産の居住者を募集する不動産店舗及び仲介業者、一時的なイベント会場などに設置されても良い。
【０１４２】
また、上述した第２の実施の形態においては、デジタル表示システム１０１が広告閲覧集計処理と求人応募処理とをするようにした場合について述べた。本発明はこれに限らず、例えば求人応募処理のみを実行するようにしても良い。
【０１４３】
さらに、上述した第２の実施の形態においては、サーバ１０５が職種ごとに表示広告データベースを分割して表示装置１０３に供給するようにした場合について述べた。本発明はこれに限らず、表示装置１０３に共通の表示広告データベースを送信し、表示装置１０３が指定された職種のみを表示するようにしても良い。
【０１４４】
＜３．第３の実施の形態＞
［３−１．デジタル表示システムの構成］
図１０に示す第３の実施の形態においては、図１〜図５に示す第１の実施の形態と対応する箇所に２００を加算した符号を附して示し、同一部分についての説明を省略する。第３の実施の形態では、ユーザの属性に応じて表示する表示広告ファイルを変更する点が第１の実施の形態と異なっている。
【０１４５】
本実施形態におけるデジタル表示システム２０１は、閲覧人物集計処理の際、ユーザの属性を判別し、判別された属性に応じた表示広告ファイルを表示する。
【０１４６】
すなわち、表示装置２０３のシステムコントローラ２３１は、表示広告ファイルの表示と同時に、閲覧しているユーザの属性を判別する。ユーザの顔から年齢や性別を判別したり、制服の種類で判別したり、識別子を附したカードを身につけさせたりなど、種々の方法でユーザの属性を判別することができる。
【０１４７】
例えば、表示装置２０３がショッピングセンターなどの案内板として使用される場合、初期画面の半分には、デフォルトの案内表示が用意される。残りの半分は、オススメ画面として閲覧人物にお勧めの場所やイベントなどが表示される。初期設定としては、来訪者数が最も多い年齢・性別層に合わせてオススメ画面が表示される。
【０１４８】
ユーザが近づくと、システムコントローラ２３１は、人物の顔を検出し、年齢及び性別を判別する。なお、年齢及び性別の判別方法は、既知の方法を用いることができる。例えば特願２０１３−１５３１５０号に記載されている。
【０１４９】
システムコントローラ２３１は、ユーザの年齢及び性別を判別すると、ユーザの属性に合わせたオススメ画面を表示する。ユーザが複数存在した場合には、予め設けられた優先順位に従ってオススメ画面を決定する。例えば、子供が存在する場合には、子供を優先する。男性と女性とが１名ずつの場合には、女性を優先する。
【０１５０】
具体的に、記憶部２３４に記憶された表示広告データベースには、表示広告ファイルに対して、属性、及び表示順序が登録されている。システムコントローラ２３１は、属性を検出すると、表示広告データベースを読み出し、属性に応じた表示順序で表示広告ファイルを表示させる。  
【０１５１】
また、表示装置２０３が病院の労働者に対する業務連絡として使用される場合、システムコントローラ２３１は、制服の色によって医者か看護士かを判別し、それぞれに合わせた業務連絡を表示する。
【０１５２】
また、表示装置２０３が会社の業務連絡として使用される場合、従業員の属する部門や職種ごとに識別子を設けておく。そしてこの識別子を従業員のカードに印刷し、首からぶら下げさせるなどして識別させ、それぞれに合わせた業務連絡を表示する。
【０１５３】
これにより、表示装置２０３は、ユーザの属性に合わせた画面を表示できるため、ユーザは自分に必要な情報のみを閲覧することができる。
【０１５４】
［３−２．広告閲覧集計処理手順］
次に、広告閲覧集計プログラムに従って実行される広告閲覧集計処理手順ＲＴ３について、図１０のフローチャートを用いて説明する。
【０１５５】
表示装置２０３は、広告閲覧集計処理を開始すると、ステップＳＰ８１へ移り、表示広告ファイルの表示を開始し、次のステップＳＰ８２へ移る。
【０１５６】
ステップＳＰ８２において、表示装置２０３は、人物及び属性が検出されたか否かを判別する。肯定結果が得られた場合、表示装置２０３は、次のステップＳＰ８３へ移る一方、否定結果が得られた場合、表示装置２０３は、ステップＳＰ８２において人物の検出を待ち受ける。
【０１５７】
ステップＳＰ８３において、表示装置２０３は、現在表示中の表示広告ファイルと検出された属性とが一致するか否かを判別する。ここで否定結果が得られた場合、このことは、現在閲覧中のユーザと表示中の広告内容が合致していないことを表しており、このとき表示装置２０３は、次のステップＳＰ８４へ移る。
【０１５８】
ステップＳＰ８４において、表示装置２０３は、現在閲覧中のユーザの属性と合致するよう表示する表示広告ファイルを変更すると、次のステップＳＰ５へ移る。
【０１５９】
ステップＳＰ５〜ステップＳＰ９において、表示装置２０３は、広告閲覧集計処理手順ＲＴ１（図４）と同様の処理を実行すると、終了ステップへ移って処理を終了する。
【０１６０】
［３−３．動作及び効果］
以上の構成によれば、システムコントローラ２３１は、識別子を検出することにより、閲覧人物の属性を判別し、属性に応じた表示広告ファイルに基づく表示画像データを表示部２３３に供給する。
【０１６１】
これにより、デジタル表示システム２０１では、閲覧人物に応じた広告を表示できるため、広告の効果を向上させることができる。
【０１６２】
［３−４．他の実施の形態］
なお、上述した第３の実施の形態においては、閲覧人物が身につけている識別子を用いて閲覧人物の属性を検出するようにした場合について述べた。本発明はこれに限らず、例えば閲覧人物の制服の種類や、制服に予め縫い付けられたマークなどを識別子として人物の属性を検出してもよい。また、予めユーザの顔を登録しておき、ユーザの顔を識別子として人物の属性を検出することもできる。
【０１６３】
また、上述した第３の実施の形態においては、優先順位に従って閲覧人物に応じた表示広告ファイルを選択するようにした場合について述べた。本発明はこれに限らず、例えば、一番大きく又は長く検出された顔の人物を優先したり、中心に近い場所で検出された人物の顔を優先しても良く、優先順位の付け方に制限はない。
【０１６４】
さらに、上述した第３の実施の形態においては、ショッピングセンター内に案内板として表示装置２０３を設置するようにした場合について述べた。本発明はこれに限らず、設置する場所に制限はない。また、入院患者と看護士、従業員と顧客、所属する会社など、種々の因子をユーザの属性とすることができる。  
【０１６５】
＜第４の実施の形態＞
図１１に示す第４の実施の形態においては、図１〜図５に示す第１の実施の形態と対応する箇所に３００を加算した符号を附して示し、同一部分についての説明を省略する。第４の実施の形態では、人物ごとに閲覧時間をカウントする点が、第１の実施の形態とは異なっている。
【０１６６】
図１１に示すように、デジタル表示システム３０１は、不特定多数の人物が数多く集まる場所に、表示装置３０３が複数台設置されることが想定されている。そして表示装置３０３は、表示広告ファイルとして、例えば映画の要点をまとめた動画を流すと共に、動画の注目度を調査する。
【０１６７】
具体的に、表示装置３０３のシステムコントローラ３２１は、表示広告データベースの再生順序に従って、表示広告ファイルを再生する。このとき、システムコントローラ３２１は、人物ごとに閲覧時間、性別及び年齢、並びに表情など（以下、これを閲覧情報と呼ぶ）の検出を行う。
【０１６８】
デジタル表示システム３０１では、再生する表示広告ファイルが相違する複数の表示装置３０３を同一箇所に設置することにより、検出された人物の数及び閲覧時間から、表示広告ファイルの注目度を集計することができる。また、デジタル表示システム３０１は、性別及び年齢など、ユーザの属性を検出することにより、表示広告ファイルに興味を持った年齢層や性別を集計することができる。
【０１６９】
さらに、デジタル表示システム３０１は、人物の表情を検出することにより、表示広告ファイルに対するユーザの反応を検出することができる。検出する表情としては、笑顔度や興奮度、驚き度などを検出可能である。
【０１７０】
例えば笑顔度は、口角の角度や目の形、眉毛の角度などから計測できる。興奮度や驚き度は、口角の角度や目の形などに加えて、目や口の動きや手足など体の動きから計測できる。
【０１７１】
具体的に、コンピュータ３０２のシステムコントローラ３２１は、表示装置３０３に対し、表示広告ファイル及び表示広告データベースを供給する。表示装置３０３は、表示広告ファイル及び表示広告データベースを記憶部３２４に記憶する。
【０１７２】
表示装置３０３は、コンピュータ３０２から表示開始の要求を表す要求信号を受信すると、表示広告ファイルの再生を開始する。表示広告ファイルは、複数種類のものが順番に再生されても良く、１種類のものが繰り返し表示されても良い。また、表示広告ファイルは、連続的に再生されてもよく、断続的に再生されても良い。
【０１７３】
コンピュータ３０２は、例えば３台の表示装置３０３に対し、相違する表示広告ファイルを同時に再生開始させることにより、３種類の表示広告ファイル間の人気度の差異を調査することができる。なお、相違する箇所に設置させた複数の表示装置３０３に対し、同一の表示広告ファイルを再生させても良い。
【０１７４】
表示装置３０３は、表示広告ファイルが１回再生されるごとに、若しくは一定時間（例えば１秒）ごとに人物ごとに検出された閲覧時間、ユーザの属性及び表情の情報をコンピュータ３０２に供給する。
【０１７５】
これにより、コンピュータ３０２は、ほぼリアルタイムで各表示装置３０３を閲覧するユーザに関する情報を受信し、管理者に視認させることができる。
【０１７６】
このとき、表示装置３０３は、表示広告ファイルの再生位置と対応付けて閲覧情報を送信する。これにより、コンピュータ３０２は、表示広告ファイルの再生位置ごとにユーザの表情に関する情報を得ることができ、再生位置ごとのユーザの反応を集計できる。
【０１７７】
［４−２．広告閲覧集計処理手順］
次に、広告閲覧集計プログラムに従って実行される広告閲覧集計処理手順ＲＴ５について、図１２のフローチャートを用いて説明する。
【０１７８】
表示装置３０３は、開始ステップにおいて広告閲覧集計処理を開始すると、次のステップＳＰ１０１へ移る。
【０１７９】
ステップＳＰ１０１において、表示装置３０３は、表示広告ファイルに基づいて、表示部３３４に表示広告画面を表示させると、次のステップＳＰ１０２へ移る。
【０１８０】
ステップＳＰ１０２において、表示装置３０３は、人物の顔の検出を開始し、次のステップＳＰ４へ移る。
【０１８１】
ステップＳＰ１０３において、表示装置３０３は、人物の顔が検出されたか否かを判別する。肯定結果が得られた場合、表示装置３０３は、次のステップＳＰ１０４へ移る一方、否定結果が得られた場合、表示装置３０３は、ステップＳＰ１０３に戻り、人物の顔が検出されるのを待ち受ける。
【０１８２】
ステップＳＰ１０４において、表示装置３０３は、検出された人物の顔に対してトラッキングを開始すると共に、累積時間の計測を開始し、次のステップＳＰ１０５へ移る。
【０１８３】
ステップＳＰ１０５において、表示装置３０３は、トラッキングにより同一の顔が検出され続けているかを判別し、肯定結果が得られた場合、次のステップＳＰ１２１へ移る。
【０１８４】
これに対してステップＳＰ１０５において否定結果が得られた場合、このことは、検出された人物がその場を離れた、もしくは単に横を向いた可能性があることを表している。このとき表示装置３０３は、次のステップＳＰ１１１へ移る。
【０１８５】
ステップＳＰ１１１において、表示装置３０３は、非検出時間の計測を開始し、次のステップＳＰ１１２へ移る。
【０１８６】
ステップＳＰ１１２において、表示装置３０３は、同一の顔が検出された否かについて判別する。同一顔か否かは、検出された場所、年齢、性別、顔の特徴のいずれか、又はこれらを組み合わせて判別される。ここで工程結果が得られた場合、このことは同一人物がその場所を離れておらず、顔の向きを変えたなど一時的に検出されなかったことを表しており、このとき表示装置３０３は、次のステップＳＰ１１３へ移る。
【０１８７】
ステップＳＰ１１３において、表示装置３０３は、人物のトラッキング及び累積時間の計測を再開し、次のステップＳＰ１２１へ移る。
【０１８８】
ステップＳＰ１２１において、表示装置３０３は、人物に関する累積閲覧時間を「＋１」すると、次のステップＳＰ１２２へ移る。
【０１８９】
ここで肯定結果が得られた場合、このことは、検出された人物が字数時間に亘って表示広告画面を閲覧していることを表しており、このとき表示装置３０３は、次のステップＳＰ１２２へ移る。
【０１９０】
また、ステップＳＰ１１２において否定結果が得られた場合、このことは、一旦検出された人物の顔が検出できないことを表しており、このとき表示装置３０３は、次のステップＳＰ１１４へ移る。
【０１９１】
ステップＳＰ１１４において、表示装置３０３は、一旦検出された人物の顔が検出できなくなってからの非検出時間が、解除時間を経過したか否かについて判別する。ここで否定結果が得られると、表示装置３０３は、ステップＳＰ１１２へもどり、人物の顔の検出を継続する。
【０１９２】
一方、ステップＳＰ１１４において肯定結果が得られた場合、このことは、一旦検出された人物が解除時間に亘って検出されず、場を離れた可能性が高いことを表しており、このとき表示装置３０３は、次のステップＳＰ１１５へ移る。
【０１９３】
ステップＳＰ１１５において、表示装置３０３は、計測中の非検出時間及び累積時間をリセットし、次のステップＳＰ１２２へ移る。
【０１９４】
ステップＳＰ１２２において、表示装置３０３は、広告の表示を終了すべきか否かを判別し、否定結果が得られた場合、ステップＳＰ１０５へ戻り、処理を継続する。
【０１９５】
これに対して、ステップＳＰ１２２において肯定結果が得られた場合、表示装置３０３は、終了ステップへ移って広告閲覧集計処理を終了する。
【０１９６】
［４−３．動作及び効果］
【０１９７】
以上の構成によれば、デジタル表示システム３０１では、コンピュータ３０２に複数台の表示装置３０３が接続されており、システムコントローラ３３１による集計の結果を表示装置３０３ごとに比較できるよう統計する統計部としてのシステムコントローラ３２１を有する。
【０１９８】
これにより、デジタル表示システム３０１では、表示装置３０３ごとに表示される表示広告ファイルの人気度を調査することができる。
【０１９９】
システムコントローラ３３１は、閲覧人物が表示部を閲覧した閲覧時間を検出する。これにより、デジタル表示システム３０１では、閲覧人物が表示広告ファイルに興味を示したかを、閲覧時間から調査することができる。
【０２００】
システムコントローラ３３１は、閲覧人物の性別、年齢及び表情のいずれか一つ以上を検出する。これにより、デジタル表示システム３０１では、閲覧人物の属性、又はどのように表示広告ファイルに興味を示したかを調査することができる。
【０２０１】
［４−４．他の実施の形態］
なお、上述した第４の実施の形態においては、閲覧時間、閲覧人物の性別、年齢及び表情を検出するようにした場合について述べた。本発明はこれに限らず、単純に閲覧人物の数をカウントしてもよい。
【０２０２】
また、上述した第４の実施の形態においては、映画予告の人気度を調査するようにした場合について述べた。本発明はこれに限らず、例えばパチンコの予告や食品の新製品など、種々の製品及びサービスを表示広告ファイルとして表示装置３０３に表示させ、人気度を調査させることができる。人気度の調査としては、閲覧時間、表情、閲覧人物の数などを適宜重畳して組み合わせたり、いずれか一つを選択することが可能である。
【０２０３】
また、上述した第４の実施の形態においては、３台の表示装置３０３が設置されるようにした場合について述べた。本発明はこれに限らず、表示装置３０３は１台で構わない。
【０２０４】
さらに、上述した第４の実施の形態においては、表示装置３０３が例えば５０インチの大きな画面を有する据え置き型であるようにした場合について述べた。本発明はこれに限らず、例えば１０インチの画面を有するタブレット端末のような携帯型の端末であっても良い。画面のサイズについては、対象やシチュエーションなどによって適宜選択される。
【０２０５】
また、上述した第１〜４の実施の形態においては、コンピュータ２と表示装置３とが接続されるようにした場合について述べた。本発明はこれに限らず、表示装置３のみを単体で使用することも可能である。この場合、表示装置３には、一時的に接続されたＵＳＢメモリなどの記憶媒体から表示広告ファイル及び表示広告データベースが供給される。
【０２０６】
さらに、上述した第１〜第４の実施の形態における各処理は、適宜組み合わせて使用することが可能である。
【０２０７】
例えば、レストランの各テーブルに、タブレット端末型の表示装置４０３が設置される場合、表示装置４０３は、閲覧人物の年齢・性別から属性を判断し、属性に応じた新メニュー予告やイベント予告を表示広告ファイルとして表示する。表示装置４０３の表示部４３４には、メニューボタンが表示されており、表示装置４０３は、閲覧人物の要望に応じて通常のメニュー画面を表示する。表示装置４０３は、適宜注文ボタンを表示し、閲覧人物の操作入力に応じて注文をコンピュータ４０２に送信する。
【０２０８】
一方、表示装置４０３が操作されない間、表示装置４０３は表示広告ファイルを表示する。この間、閲覧人物の属性や閲覧時間、表情を検出する。すなわち、表示装置４０３は、通常の注文用端末として使用するだけでなく、その間に閲覧人物の属性情報を検出すると共に、新メニューやイベントの人気調査をすることが可能となる。
【０２０９】
通常、レストランで料理が出されるまでの待ち時間が発生することから、その時間を利用して表示広告ファイルに関する人気調査を行う事ができる。なお、新メニューやイベントは、必ずしもレストランのものである必要はない。
【０２１０】
また、表示装置をコンビニエンスストアやスーパーマーケットなどの各種店舗に設置し、ユーザの属性調査と表示広告ファイルに関する人気調査を行う事も可能である。
【０２１１】
さらに、上述した第４の実施の形態においては、表示装置３０３が特定の場所に設置される端末であるようにした場合について述べた。本発明はこれに限らず、例えば、デジタル表示システム５０１における表示装置５０３は、一般人が個人的又は仕事用に所持する端末であっても良い。この場合、表示装置５０３は、インターネットなどに接続されており、クラウドで表示広告ファイルが表示される。
【０２１２】
表示装置５０３に表示される表示広告ファイルとしては、YouTube（グーグルインコーポレーテッドの登録商標）の間に表示される広告動画や、無料閲覧できる電子漫画や電子雑誌の間若しくは並行して表示される動画又は静止画広告となる。もちろん、動画本体や、電子漫画、電子雑誌を表示広告ファイルとして視聴率調査を行う事も可能である。
【０２１３】
また、表示広告ファイルとしては、ホームページやブログ、フェイスブック（フェースブック・インコーポレーテッドの登録商標）などのSNS（Social Networking Service）であっても良い。
【０２１４】
これにより、デジタル表示システム５０１では、広告を視聴した閲覧人物の年齢や性別などのマーケティング情報に加え、視聴者の表情を統計できるので、マーケティング情報として有効な情報を収集することができる。
【産業上の利用可能性】
【０２１５】
本発明は、例えば多くの作業員が働く職場などに設置されるデジタル表示システムに適用することができる。
【符号の説明】
【０２１６】
１・・・・・・デジタル表示システム
２、１０２、２０２、３０２・・・・・・コンピュータ
３、１０３、２０３、３０３・・・・・・表示装置
２１、１２１、１５１、２２１、３２１・・・・・・システムコントローラ
３１、１３１、２３１、３３１・・・・・・システムコントローラ
２２、１２２、１５１、２２２、３２２・・・・・・記憶部
２３、１２３、２２３、３２３・・・・・・外部インターフェース
３３、１３３、２３３、３３３・・・・・・外部インターフェース
【図１】
2015228145.tif 000003
【図２】
2015228145.tif 000004
【図３】
2015228145.tif 000005
【図４】
2015228145.tif 000006
【図５】
2015228145.tif 000007
【図６】
2015228145.tif 000008
【図７】
2015228145.tif 000009
【図８】
2015228145.tif 000010
【図９】
2015228145.tif 000011
【図１０】
2015228145.tif 000012
【図１１】
2015228145.tif 000013
【図１２】
2015228145.tif 000014